(57)【特許請求の範囲】
【請求項１】
コーナー部を形成する一辺及び他辺にそれぞれ沿うように、所定の交差角度で一方のメッシュフェンスと他方のメッシュフェンスを配設するためのフェンスの取付構造であって、
前記コーナー部に立設される一本の支柱と、前記一方のメッシュフェンスを前記支柱に接続固定するためのフェンス取付金具の第一固定手段と、前記他方のメッシュフェンスを前記支柱に接続固定するための第二固定手段とを備え、
且つ、前記第一固定手段のフェンス取付金具が、前記支柱の側面に接続して固定する柱接続部と、回動機構によって上下方向に延びる回動軸線周りに回動自在に前記柱接続部に接続して設けられ、前記一方のメッシュフェンスを接続して固定するフェンス接続部とを備えていることを特徴とするフェンスの取付構造。
【請求項２】
請求項１記載のフェンスの取付構造において、
前記フェンス接続部に、前記一方のメッシュフェンスを接続する側の一面から突出するフェンス引掛部が設けられているフェンスの取付構造。
【請求項３】
請求項１または請求項２に記載のフェンスの取付構造において、
前記柱接続部が、前記支柱に固着される固定部と、前記一方のメッシュフェンスの設置位置に応じた所定の長さで前記固定部から横方向に延出し、延出方向先端側に前記回動機構が設けられる持ち出し部とを備えているフェンスの取付構造。
【請求項４】
請求項１から請求項３のいずれか一項に記載のフェンスの取付構造において、
前記柱接続部が、前記支柱の一側面に固着される固定部と、前記固定部に繋がり、前記支柱の他の側面に係止される係止部とを備えているフェンスの取付構造。
【請求項５】
請求項１から請求項４のいずれか一項に記載のフェンスの取付構造において、
前記回動機構の回動軸が前記柱接続部と前記フェンス接続部の面外方向に偏心して設けられているフェンスの取付構造。
【請求項６】
請求項１から請求項５のいずれか一項に記載のフェンスの取付構造において、
前記第一固定手段が高さ方向中央を境にして上下対称で形成されているフェンスの取付構造。
【請求項７】
請求項１から請求項６のいずれか一項に記載のフェンスの取付構造において、
前記第二固定手段を前記支柱に支持固定すると、前記第一固定手段も前記支柱に支持固定されるように構成されているフェンスの取付構造。
【請求項８】
コーナー部を形成する一辺及び他辺にそれぞれ沿うように、所定の交差角度で一方のメッシュフェンスと他方のメッシュフェンスを配設するためのフェンスの取付構造であって、
前記コーナー部に立設される支柱と、前記一方のメッシュフェンスを前記支柱に接続固定するためのフェンス取付金具の第一固定手段と、前記他方のメッシュフェンスを前記支柱に接続固定するための第二固定手段と、を備え、
且つ、前記第一固定手段のフェンス取付金具が、前記支柱の側面に接続して固定する柱接続部と、回動機構によって上下方向に延びる回動軸線周りに回動自在に前記柱接続部に接続して設けられ、前記一方のメッシュフェンスを接続して固定するフェンス接続部と、を備えており、
前記柱接続部が、前記支柱に固着される固定部と、前記一方のメッシュフェンスの設置位置に応じた所定の長さで前記固定部から横方向に延出し、延出方向先端側に前記回動機構が設けられる持ち出し部と、を備え、
前記柱接続部が、前記固定部に繋がり、前記支柱の他の側面に係止される係止部をさらに備えていることを特徴とするフェンスの取付構造。
【発明の詳細な説明】
【技術分野】
【０００１】
本発明は、フェンスの取付構造に関し、特にコーナー部のフェンスの取付構造に関する。
【背景技術】
【０００２】
従来、敷地の外周などにフェンスを設置し、敷地境界の明確化、敷地内の視認制限などを図るようにしている。
【０００３】
この種のフェンスには、所定の間隔をあけて立設された複数の支柱と、複数の支柱に支持させてフェンス面を形成するように並設される複数のフェンス本体とを備えて構成したものがある。また、フェンス本体として縦筋（縦線材）と横筋（横線材）を格子状に組み付けてなるメッシュフェンスが多用されている。
【０００４】
ここで、例えば、メッシュフェンスをフェンス本体として用いる場合には、棒状の軸部の先端にフック部を備えたフックボルトを取付金具として用いて、メッシュフェンスを支柱に固定するようにしている。
【０００５】
一方、図１３及び図１４に示すように、敷地のコーナー部（角部）１などにおいては、隣り合う一方のメッシュフェンス２（２ａ）と、他方のメッシュフェンス２（２ｂ）を所定の交差角度θで配置し、隣接した互いのメッシュフェンス２ａ、２ｂの側端部２ｃ同士を繋げてコーナー部１を形成する（例えば、特許文献１参照）。
【０００６】
また、このとき、一方のメッシュフェンス２ａの一側端部２ｃ側を支柱３で支持し、他方のメッシュフェンス２ｂの一側端部２ｃを支柱３で支持し、これら計２本の支柱３で支持した両メッシュフェンス２ａ、２ｂの側端部２ｃ同士を金具４で固定したり、両メッシュフェンス２ａ、２ｂの側端部２ｃをそれぞれフックボルトなどの金具で固定するようにしている。
【先行技術文献】
【特許文献】
【０００７】
【特許文献１】特開２０００−８６５５号公報
【発明の概要】
【発明が解決しようとする課題】
【０００８】
しかしながら、上記従来のフェンスの取付構造Ｂにおいては、コーナー部１に一方のメッシュフェンス２ａと他方のメッシュフェンス２ｂの隣接配置される側端部２ｃをそれぞれ固定するための２本の支柱３が必要であった。このため、１本の支柱３でコーナー部１の一方のメッシュフェンス２ａと他方のメッシュフェンス２ｂの両側端部２ｃを固定することが、施工コストや材料コストの削減などの観点から強く望まれていた。
【０００９】
本発明は、上記事情に鑑み、１本の支柱でコーナー部の一方のメッシュフェンスと他方のメッシュフェンスの両側端部を固定することができ、従来と比較し、施工コストや材料コストを削減することを可能にするフェンスの取付構造を提供することを目的とする。
【課題を解決するための手段】
【００１０】
上記の目的を達するために、この発明は以下の手段を提供している。
【００１１】
本発明のフェンスの取付構造は、コーナー部を形成する一辺及び他辺にそれぞれ沿うように、所定の交差角度で一方のメッシュフェンスと他方のメッシュフェンスを配設するためのフェンスの取付構造であって、前記コーナー部に立設される一本の支柱と、前記一方のメッシュフェンスを前記支柱に接続固定するためのフェンス取付金具の第一固定手段と、前記他方のメッシュフェンスを前記支柱に接続固定するための第二固定手段とを備え、且つ、前記第一固定手段のフェンス取付金具が、前記支柱の側面に接続して固定する柱接続部と、回動機構によって上下方向に延びる回動軸線周りに回動自在に前記柱接続部に接続して設けられ、前記一方のメッシュフェンスを接続して固定するフェンス接続部とを備えていることを特徴とする。
【００１２】
この発明においては、第一固定手段のフェンス取付金具によって一方のメッシュフェンスを支柱に接続し、例えばボルト、ナットなどの第二固定手段によって他方のメッシュフェンスを支柱に接続することができる。そして、このとき、第一固定手段のフェンス取付金具が、支柱に固着される柱接続部と、この柱接続部に回動機構によって回動自在に接続され、一方のメッシュフェンスを接続するフェンス接続部とで構成されているため、柱接続部を支柱に固着するとともに、フェンス接続部ひいてはこのフェンス接続部に接続して固定した一方のメッシュフェンスを他方のメッシュフェンスに対して回動させ、任意の交差角度で自在に配設することが可能になる。
【００１３】
また、本発明のフェンスの取付構造においては、前記フェンス接続部に、前記一方のメッシュフェンスを接続する側の一面から突出するフェンス引掛部が設けられていることが望ましい。
【００１４】
この発明においては、第一固定手段のフェンス取付金具の柱接続部を支柱に固着し、フェンス接続部に一方のメッシュフェンスを接続する際に、横筋をフェンス引掛部に引掛けることによって一方のメッシュフェンスを仮設置することが可能になる。
これにより、ボルト、ナットなどで一方のメッシュフェンスの一側端部をフェンス接続部に接続して固定する際に、作業者が一方のメッシュフェンスを常時支える必要がなく、施工性を大幅に向上させることが可能になる。
【００１５】
さらに、本発明のフェンスの取付構造においては、前記柱接続部が、前記支柱に固着される固定部と、前記一方のメッシュフェンスの設置位置に応じた所定の長さで前記固定部から横方向に延出し、延出方向先端側に前記回動機構が設けられる持ち出し部とを備えていることがより望ましい。
【００１６】
この発明においては、固定部を支柱に接続して固定した状態で一方のメッシュフェンスの設置位置に応じた所定の長さで固定部から横方向に持ち出し部が延出し、この持ち出し部の先端側に回動機構が設けられている。このため、固定部を支柱に接続するだけで、自動的に回動機構の回動軸（回動軸線）の位置を所定の位置に配し、確実且つ容易にフェンス接続部をコーナー部を形成する一辺に沿う所定位置に配設することが可能になる。
【００１７】
また、本発明のフェンスの取付構造においては、前記柱接続部が、前記支柱の一側面に固着される固定部と、前記固定部に繋がり、前記支柱の他の側面に係止される係止部とを備えていることがさらに望ましい。
【００１８】
この発明においては、柱接続部が固定部を支柱に接続して固定した状態で支柱の他の側面に係止される係止部を備えているため、例えば固定部を１本のボルト、ナットで支柱に固着した場合であっても、支柱の他の側面に係止部が係止されていることで、固定部ひいては第一固定手段全体が回動して位置ずれすることを防止できる。
よって、一方のメッシュフェンスをフェンス接続部に接続して固定する際に、柱接続部の固定部を支柱に接続するとともに自動的にフェンス接続部が精度よく所定に配置され、その接続固定作業を容易で好適に行うことが可能になる。
【００１９】
さらに、本発明のフェンスの取付構造においては、前記回動機構の回動軸が前記柱接続部と前記フェンス接続部の面外方向に偏心して設けられていることが望ましい。
【００２０】
この発明においては、回動機構の回動軸が柱接続部とフェンス接続部の面外方向に偏心して設けられていることによって、柱接続部とフェンス接続部を相対的に回転させた際に、互いに干渉が生じにくく、大きな交差角度範囲で相対的に回動させることができる。これにより、多様な交差角度のコーナー部に適用でき、汎用性を高めることが可能になる。また、例えば偏心して回動機構が大きく露出する側をフェンスの内側に設けるなどし、コーナー部の見栄えをよくすることができる。
【００２１】
また、本発明のフェンスの取付構造において、前記第一固定手段が高さ方向中央を境にして上下対称で形成されていることが望ましい。
【００２２】
この発明においては、第一固定手段が上下対称に形成されているため、柱接続部を上下逆につけて使用することができる。そして、このように柱接続部を上下逆につけることにより、コーナー部の構成などに合わせ、支柱に対して第一固定手段が突出する位置を適宜変えて使用することができる。これにより、第一固定手段の汎用性を高めることが可能になる。
また、本発明のフェンスの取付構造において、前記第二固定手段を前記支柱に支持固定すると、前記第一固定手段も前記支柱に支持固定されるように構成されていることが望ましい。
さらに、本発明のフェンスの取付構造は、コーナー部を形成する一辺及び他辺にそれぞれ沿うように、所定の交差角度で一方のメッシュフェンスと他方のメッシュフェンスを配設するためのフェンスの取付構造であって、前記コーナー部に立設される支柱と、前記一方のメッシュフェンスを前記支柱に接続固定するためのフェンス取付金具の第一固定手段と、前記他方のメッシュフェンスを前記支柱に接続固定するための第二固定手段と、を備え、且つ、前記第一固定手段のフェンス取付金具が、前記支柱の側面に接続して固定する柱接続部と、回動機構によって上下方向に延びる回動軸線周りに回動自在に前記柱接続部に接続して設けられ、前記一方のメッシュフェンスを接続して固定するフェンス接続部と、を備えており、前記柱接続部が、前記支柱に固着される固定部と、前記一方のメッシュフェンスの設置位置に応じた所定の長さで前記固定部から横方向に延出し、延出方向先端側に前記回動機構が設けられる持ち出し部と、を備え、前記柱接続部が、前記固定部に繋がり、前記支柱の他の側面に係止される係止部をさらに備えていることを特徴とする。
【発明の効果】
【００２３】
本発明のフェンスの取付構造においては、第一固定手段のフェンス取付金具によって一方のメッシュフェンスを支柱に接続し、例えばボルト、ナットなどの第二固定手段によって他方のメッシュフェンスを支柱に接続することができる。そして、このとき、第一固定手段のフェンス取付金具の柱接続部を支柱に固着するとともに、フェンス接続部ひいてはこのフェンス接続部に接続して固定した一方のメッシュフェンスを他方のメッシュフェンスに対して回動させ、任意の交差角度で自在に配設することが可能になる。
【００２４】
よって、本発明のフェンスの取付構造によれば、１本の支柱でコーナー部の一方のメッシュフェンスと他方のメッシュフェンスの両側端部を好適に固定することができ、従来と比較し、施工コストや材料コストを削減することが可能になる。
【図面の簡単な説明】
【００２５】
【図１】本発明の一実施形態に係るフェンスの取付構造を示す平面視図である。
【図２】本発明の一実施形態に係るフェンスの取付構造の第一固定手段の柱接続部を示す平面視図である。
【図３】図２のＸ１−Ｘ１線矢視図である。
【図４】図２のＸ２−Ｘ２線矢視図である。
【図５】図２のＸ３−Ｘ３線矢視図である。
【図６】本発明の一実施形態に係るフェンスの取付構造の第一固定手段のフェンス接続部を示す平面視図である。
【図７】図６のＸ１−Ｘ１線矢視図である。
【図８】図６のＸ２−Ｘ２線矢視図である。
【図９】図６のＸ３−Ｘ３線矢視図である。
【図１０】図６のＸ４−Ｘ４線矢視図である。
【図１１】本発明の一実施形態に係るフェンスの取付構造を示す平面視図であり、図１と交差角度が異なるコーナー部に適用した状態を示す図である。
【図１２】本発明の一実施形態に係るフェンスの取付構造を示す平面視図であり、図１、図１１と交差角度が異なるコーナー部に適用した状態を示す図である。
【図１３】従来のフェンスの取付構造を示す平面視図である。
【図１４】従来のフェンスの取付構造を示す斜視図である。
【発明を実施するための形態】
【００２６】
以下、図１から図１２（図１３、図１４）を参照し、本発明の一実施形態に係るフェンスの取付構造について説明する。
【００２７】
はじめに、本実施形態のフェンスは、例えば、建物の敷地の外周などに設置し、建物と道路の敷地境界の明確化、敷地内の視認制限などを図るためのものであり、所定の間隔をあけて立設された複数の支柱３と、複数の支柱３に支持させてフェンス面を形成するように並設される複数のフェンス本体２とを備えて構成されている（図１３、図１４参照）。
【００２８】
また、本実施形態では、図１（図１３、図１４）に示すように、フェンス本体として縦筋２ｄと横筋２ｅを格子状に組み付けてなるメッシュフェンス２が用いられている。さらに、このメッシュフェンス２は、縦筋２ｄを円弧状に形成するなどして、その上部側が胴縁状に形成されている。
【００２９】
一方、敷地の外周の直線部分では、隣り合うメッシュフェンス２同士が直線状に配置して並設されるのに対し、敷地の外周のコーナー部（角部）１などにおいては、隣り合う一方のメッシュフェンス２ａの一側端部２ｃと、他方のメッシュフェンス２ｂの一側端部２ｃとがコーナー部１で近接配置されるとともに、一方のメッシュフェンス２ａと他方のメッシュフェンス２ｂがコーナー部１の角度に応じた所定の交差角度θをもって配設される。
【００３０】
そして、本実施形態のフェンスの取付構造Ａは、一方のメッシュフェンス２ａと他方のメッシュフェンス２ｂを所定の交差角度θで並設した状態で保持するための構造であるとともに、従来のように２本の支柱３を用いず、コーナー部１に立設された１本の支柱３に両メッシュフェンス２ａ、２ｂの一側端部２ｃを接続固定し、両メッシュフェンス２ａ、２ｂを所定の交差角度θで配した状態で保持するための構造である。
【００３１】
具体的に、本実施形態のフェンスの取付構造Ａは、断面略方形状の棒状に形成され、隣り合う一側面をコーナー部１を形成する一辺Ｓ１に、他側面をコーナー部１を形成する他辺Ｓ２にそれぞれ沿うようにしてコーナー部１に立設される支柱３と、支柱３の所定の高さ位置に着脱可能に接続して配設されるとともに、コーナー部１を形成する一辺Ｓ１に沿って配設される一方のメッシュフェンス２ａの一側端部２ｃを支柱３に接続して固定するための第一固定手段５と、コーナー部１を形成する他辺Ｓ２に沿って配設される他方のメッシュフェンス２ｂの一側端部２ｃを支柱３に接続して固定するための第二固定手段６とを備えて構成されている。
【００３２】
なお、図１では、建物側を内側とし、道路側を外側とし、内側の角度が交差角度θ＝９０°になるように一方のメッシュフェンス２ａと他方のメッシュフェンス２ｂを保持した状態を示している。
【００３３】
ここで、他方のメッシュフェンス２ｂは、支柱３の側面にその一側端部２ｃを第二固定手段６を用いて接続固定され、コーナー部１を形成する他辺Ｓ２に沿って配設される。
そして、この他方のメッシュフェンス２ｂを支柱３に接続する本実施形態の第二固定手段６は、棒状の軸部７ａの先端にフック部７ｂを備えたフックボルト７を用い、フック部７ｂを他方のメッシュフェンス２ｂの横筋２ｅ（あるいは縦筋２ｄ）に引っ掛けつつ軸部７ａを支柱３のボルト挿通孔に挿通し、この軸部７ａの先端側にナットを締結して固定するように構成されている。
なお、第二固定手段６は、特に限定を必要としない。例えば、添え板、ボルト、ナットを用い、支柱３と添え板の間に他方のメッシュフェンス２ｂを配し、添え板及び支柱３にボルトを挿通しナットを締結して固定するように構成してもよい。
【００３４】
そして、本実施形態のフェンスの取付構造Ａでは、図１に示すように、一方のメッシュフェンス２ａの一側端部２ｃを支柱３に接続して固定しつつ、第二固定手段６を用いてコーナー部１を形成する他辺Ｓ２に沿って配した他方のメッシュフェンス２ｂに対し所定の交差角度θで配設されるように、第一固定手段のフェンス取付金具５によって一方のメッシュフェンス２ａを支柱３に接続する。
【００３５】
本実施形態のフェンス取付金具５は、金属製（樹脂製であってもよい）であり、支柱３の一側面に接続固定して配設される柱接続部８と、柱接続部８に繋がり、一方のメッシュフェンス２ａを着脱可能に接続するためのフェンス接続部９とを備えて構成されている。
【００３６】
柱接続部８は、図１、図２から図５に示すように、固定部１０と、一対の係止部１１と、持ち出し部１２とを備えて構成されている。
【００３７】
固定部１０は、略平板状に形成されるとともに板面の一面１０ａから他面１０ｂに貫通するボルト挿通孔１０ｃを備えて形成されている。
【００３８】
そして、柱接続部８は、支柱３の一側面に他面１０ｂを面接触させて固定部１０を配設し、支柱３に貫通形成されたボルト挿通孔と互いのボルト挿通孔１０ｃを連通させ、連通した両ボルト挿通孔１０ｃにボルトを挿通するとともに、支柱３を貫通して突出したボルトの軸部にナットを締結することによって、支柱３の所定位置に固定して取り付けられる。
【００３９】
このとき、本実施形態では、他方のメッシュフェンス２ｂの一側端部２ｃを支柱３に固定するための第二固定手段６のフックボルト７を併用して固定部１０を支柱３の側面に固着して取り付ける。
【００４０】
一対の係止部１１は、固定部１０の両側端からそれぞれ固定部１０に直交して延設されている。これにより、本実施形態の柱接続部８は、固定部１０と一対の係止部１１（１１ａ、１１ｂ）を備えた部分が断面略コ字状に形成され、これら一対の係止部１１は、固定部１０を支柱３の一側面に固定した状態で一側面に直交する両側面にそれぞれ係合して係止され、固定部１０ひいては柱接続部８がボルト７周りに回動することを防止する。
【００４１】
持ち出し部１２は、柱接続部８の基端側に配される一方の係止部１１（１１ｂ）の先端に繋がり、柱接続部８の略長さ方向外側に所定の長さをもって突出（延出）して形成されている。持ち出し部１２の延出長さは、一方のメッシュフェンス２ａの支柱３に対する相対的な取付位置、及び一方のメッシュフェンス２ａと他方のメッシュフェンス２ｂの交差角度θに応じて設定されている。
【００４２】
また、持ち出し部１２の突出方向先端側には、固定部１０を支柱３に固定して取り付けた状態で回動軸線Ｏ１を支柱３の延設方向に沿う上下方向に向けて配される回動機構１３が設けられている。
【００４３】
一方、本実施形態のフェンス接続部９は、図１、図６から図１０に示すように、略板状に形成されており、板面を横方向に向けた状態で、その一側端を回動機構１３を介して柱接続部８の持ち出し部１２の先端側に接続して設けられている。このように回動機構１３を介して接続されていることによって、フェンス接続部９と柱接続部８は回動機構１３の上下方向に延びる回動軸線Ｏ１周りに相対的に回動自在に接続されている。また、本実施形態では、回動機構１３としてネジ軸などを用い、フェンス接続部９と柱接続部８が回動自在に且つ着脱可能に接続されている。
【００４４】
ここで、本実施形態では、回動機構１３の回動軸（回転軸線Ｏ１）が柱接続部８とフェンス接続部９の面外方向に偏心して設けられている。
【００４５】
また、フェンス接続部９は、一面９ａから他面９ｂに貫通する貫通孔９ｃが形成されている。
【００４６】
さらに、フェンス接続部９には、一方のメッシュフェンス２ａを接続する側の一面９ａから突出するフェンス引掛部１４が設けられている。
【００４７】
また、上記のように構成される本実施形態の柱接続部８、フェンス接続部９、ひいては第一固定手段のフェンス取付金具５は、高さ方向（上下方向）中央を境にして上下対称で形成されている。
【００４８】
そして、このフェンス取付金具５を用いて一方のメッシュフェンス２ａを取り付ける際には、柱接続部８の固定部１０を第二固定手段６のフックボルト７を兼用して支柱３の一側面に固着する。
【００４９】
このように固定部１０を所定位置に固着すると、柱接続部８の一対の係止部１１が支柱の他の側面に係止される。これにより、１本のフックボルト７で支柱３に固定部１０を固着した場合であっても、固定部１０ひいてはフェンス取付金具５の全体がフックボルト７周りに回動して位置ずれが生じることがない。
【００５０】
また、固定部１０を所定位置に固着すると、持ち出し部１２の長さに応じて回動機構１３（回動軸線Ｏ１）は所定位置に配される。そして、回動機構１３を介して柱接続部８に繋がるフェンス接続部９を回動軸線Ｏ１周りに回動させることによって、フェンス接続部９をコーナー部１の一辺Ｓ１に沿って配設することができる。
【００５１】
このフェンス接続部９の一面９ａに一方のメッシュフェンス２ａを重ね合わせ、ボルト１５、ナット等の固定手段を用いて一方のメッシュフェンス２ａをフェンス接続部９に接続して固定する。これにより、１本の支柱３でコーナー部１の一方のメッシュフェンス２ａと他方のメッシュフェンス２ｂが所定の交差角度θで設置される。
【００５２】
ここで、本実施形態においては、フェンス接続部９にフェンス引掛部１４が設けられているため、一方のメッシュフェンス２ａをフェンス接続部９に接続する際にフェンス引掛部１４に引っ掛けることで、作業者が常時一方のメッシュフェンス２ａをもって支えている必要がない。
【００５３】
したがって、本実施形態のフェンスの取付構造Ａにおいては、まず、第一固定手段のフェンス取付金具５によって一方のメッシュフェンス２ａを支柱３に接続し、ボルト、ナットなどの第二固定手段６によって他方のメッシュフェンス２ｂを支柱３に接続することができる。
【００５４】
そして、このとき、第一固定手段のフェンス取付金具５が、支柱３に固着される柱接続部８と、この柱接続部８に回動機構１３によって回動自在に接続され、一方のメッシュフェンス２ａを接続するフェンス接続部９とで構成されているため、柱接続部８を支柱３に固着するとともに、フェンス接続部９ひいてはこのフェンス接続部９に接続して固定した一方のメッシュフェンス２ａを他方のメッシュフェンス２ｂに対して回動させ、図１、図１１、図１２に示すように、任意の交差角度θで自在に配設することが可能になる。
【００５５】
よって、本実施形態のフェンスの取付構造Ａによれば、１本の支柱３でコーナー部１の一方のメッシュフェンス２ａと他方のメッシュフェンス２ｂの両側端部２ｃを好適に固定することができ、従来と比較し、施工コストや材料コストを削減することが可能になる。
【００５６】
また、本実施形態のフェンスの取付構造Ａにおいては、第一固定手段のフェンス取付金具５の柱接続部８を支柱３に固着し、フェンス接続部９に一方のメッシュフェンス２ａを接続する際に、横筋２ｅをフェンス引掛部１４に引掛けることによって一方のメッシュフェンス２ａを仮設置することが可能になる。
【００５７】
これにより、ボルト１５、ナットなどで一方のメッシュフェンス２ａの一側端部２ｃをフェンス接続部９に接続して固定する際に、作業者が一方のメッシュフェンス２ａを常時支える必要がなく、施工性を大幅に向上させることが可能になる。
【００５８】
さらに、本実施形態のフェンスの取付構造Ａにおいては、固定部１０を支柱３に接続して固定した状態で一方のメッシュフェンス２ａの設置位置に応じた所定の長さで固定部１０から横方向に持ち出し部１２が延出し、この持ち出し部１２の先端側に回動機構１３が設けられている。このため、固定部１０を支柱３に接続するだけで、自動的に回動機構１３の回動軸（回動軸線Ｏ１）の位置を所定の位置に配し、確実且つ容易にフェンス接続部９をコーナー部１を形成する一辺Ｓ１に沿う所定位置に配設することが可能になる。
【００５９】
また、柱接続部８が固定部１０を支柱３に接続して固定した状態で支柱３の他の側面に係止される係止部１１を備えているため、固定部１０を１本のボルト、ナットで支柱３に固着した場合であっても、支柱３の他の側面に係止部１１が係止されていることで、固定部１０ひいては第一固定手段のフェンス取付金具５全体が回動して位置ずれすることを防止できる。
【００６０】
よって、一方のメッシュフェンス２ａをフェンス接続部９に接続して固定する際に、柱接続部８の固定部１０を支柱３に接続するとともに自動的にフェンス接続部９が精度よく所定に配置され、その接続固定作業を容易で好適に行うことが可能になる。
【００６１】
さらに、回動機構１３の回動軸（回動軸線Ｏ１）が柱接続部８とフェンス接続部９の面外方向に偏心して設けられていることによって、柱接続部８とフェンス接続部９を相対的に回転させた際に、互いに干渉が生じにくく、図１、図１１、図１２に示すように、大きな交差角度θ範囲で相対的に回動させることができる。これにより、多様な交差角度θのコーナー部１に適用でき、汎用性を高めることが可能になる。また、例えば偏心して回動機構１３が大きく露出する側をフェンスの内側に設けるなどし、コーナー部１の見栄えをよくすることができる。
【００６２】
また、第一固定手段のフェンス取付金具５が上下対称に形成されているため、柱接続部８を上下逆につけて使用することができる。そして、このように柱接続部８を上下逆につけることにより、コーナー部１の構成などに合わせ、支柱３に対して第一固定手段５が突出する位置（本実施形態では持ち出し部１２が延出する方向、回動機構１３の突出位置）を適宜変えて使用することができる。
例えば、図１において、支柱３が他方のメッシュフェンス２ｂ（コーナー部を形成する他辺Ｓ２）に対して外側（道路側）にある場合に、フェンス取付金具５を上下逆に反転して取り付けることで、一方のメッシュフェンス２ａと他方のメッシュフェンス２ｂを図１と同様の交差角度θで取り付けることができる。
これにより、第一固定手段５の汎用性をさらに高めることが可能になる。
【００６３】
以上、本発明に係るフェンスの取付構造の一実施形態について説明したが、本発明は上記の一実施形態に限定されるものではなく、その趣旨を逸脱しない範囲で適宜変更可能である。
【００６４】
例えば、フェンス接続部９の貫通孔９ｃを固定部１０を支柱３に固定して取り付けた状態でコーナー部１の一辺Ｓ１に沿う方向に延びる長孔状に形成してもよい。この場合には、貫通孔９ｃの長孔の長さ分、フックボルト１５の位置を調節することができる。
そして、フックボルト１５のフックを一方のメッシュフェンス２ａの横筋２ｅに引っ掛けて固定することで、一方のメッシュフェンス２ａの隣り合う縦筋２ｄの間隔分に加え、貫通孔９ｃの長孔の長さ分、一方のメッシュフェンス２ａの取付位置を調節することができる。また、フックボルト１５のフックを一方のメッシュフェンス２ａの縦筋２ｄに引っ掛けて固定するとしたら、貫通孔９ｃの長孔の長さ分、一方のメッシュフェンス２ａの取付位置を調節することができる。
【符号の説明】
【００６５】
１      コーナー部（角部）
２      メッシュフェンス（フェンス本体）
２ａ    一方のメッシュフェンス
２ｂ    他方のメッシュフェンス
２ｃ    側端部
２ｄ    縦筋
２ｅ    横筋
３      支柱
４      金具
５      フェンス取付金具（第一固定手段）
６      第二固定手段
７      フックボルト
７ａ    軸部
７ｂ    フック部
８      柱接続部
９      フェンス接続部
９ａ    一面
９ｂ    他面
９ｃ    貫通孔
１０    固定部
１０ａ  一面
１０ｂ  他面
１０ｃ  ボルト挿通孔
１１    係止部
１１ａ  係止部
１１ｂ  係止部
１２    持ち出し部
１３    回動機構
１４    フェンス引掛部
１５    ボルト
Ａ      フェンスの取付構造
Ｂ      従来のフェンスの取付構造
Ｏ１    回動軸線
Ｓ１    コーナー部を形成する一辺
Ｓ２    コーナー部を形成する他辺
θ      交差角度
【図１】
0006533126.tif 000002
【図２】
0006533126.tif 000003
【図３】
0006533126.tif 000004
【図４】
0006533126.tif 000005
【図５】
0006533126.tif 000006
【図６】
0006533126.tif 000007
【図７】
0006533126.tif 000008
【図８】
0006533126.tif 000009
【図９】
0006533126.tif 000010
【図１０】
0006533126.tif 000011
【図１１】
0006533126.tif 000012
【図１２】
0006533126.tif 000013
【図１３】
0006533126.tif 000014
【図１４】
0006533126.tif 000015